(57)【要約】【課題】陳列用ケースとしても有効利用できるカプセル本体を左右、前後、上下方向夫々に自由に連結でき、多数のミニチュアフィギア等を整然とした陳列状態で飾れ、比較的小さなミニチュアフィギア等でも透明な上部半割カプセル体から視認し易い状態にセットでき、構成簡素で、製造容易で、量産に適し、コストの低減が図れ、経済的な陳列兼用収納カプセルを提供する。【解決手段】下部半割カプセル体Ａと、透明な上部半割カプセル体Ｂとからなるカプセル本体を形成し、カプセル本体の外周部、底部、及び頂部に、左右連結手段、前後連結手段、及び上下連結手段となる嵌合凹部２、４、６及び嵌合凸部１、３、５を設け、複数のカプセル本体が左右、前後、上下方向に自在に連結可能となるよう形成し、下部半割カプセル体Ａ内に装着可能な支持プレートＣを設け、支持プレートＣの上にミニチュアフィギアＤをセットできるよう構成する。【選択図】        図３
2005041489.tif 000002
【特許請求の範囲】
【請求項１】
適宜合成樹脂材によって略中空球形状に形成されると共に、その内部にミニチュアフィギア等の適宜商品を収納した状態で、適宜販売機内に収容せしめて販売される連結可能な陳列兼用収納カプセルであって、上部が開口されている略半球殻状の下部半割カプセル体と、この下部半割カプセル体の上部開口部分に着脱自在に装着でき、且つ下部が開口されている略半球殻状の透明な上部半割カプセル体とからなるカプセル本体を形成し、このカプセル本体の外周部、底部、及び頂部に、左右連結手段、前後連結手段、及び上下連結手段となる嵌合凹部及び嵌合凸部を設け、複数のカプセル本体が左右方向、前後方向、上下方向に自在に連結可能となるよう形成し、カプセル本体の下部半割カプセル体内に装着可能な支持プレートを設け、この支持プレートの上にミニチュアフィギアをセットできるように構成したことを特徴とする連結可能な陳列兼用収納カプセル。
【請求項２】
カプセル本体の下部半割カプセル体内表面に、上段に配される複数の係止支持突起と、下段に配される複数の係止支持突起とを設け、支持プレートに、係止支持突起が係脱自在に係止される複数の係止凹部を周設し、下部半割カプセル体内に支持プレートを上下方向で選択的に装着できるよう構成したことを特徴とする請求項１記載の連結可能な陳列兼用収納カプセル。
【発明の詳細な説明】
【０００１】
【発明の属する技術分野】
本発明は、主に、ミニチュアフィギア等の適宜商品を取出し可能に収納でき、更に、適宜商品を収納した状態のまま適宜販売機内に収容されて販売され、しかも、販売後には適宜商品の陳列ケースとしても利用できるように工夫した連結可能な陳列兼用収納カプセルに関するものである。
【０００２】
【従来の技術】
従来、この種の収納カプセルとしては、例えば、特許文献１のカプセル玩具や、特許文献２の連結容器等が公知となっている。
そして、特許文献１のカプセル玩具は、二個の略半球体の容器の切り口を互いに嵌合させて略球体を構成して中に小型玩具を収納する容器において、片方の略半球体の容器の切り口に該切り口端に直角方向の切欠で、該切欠の奥行は嵌合部の幅に切込の幅を加えた長さを有する容器と、他方の略半球体の容器の切り口を嵌合させ略球体とし、上側が広い浅底Ｕ字状の吸盤部で、該吸盤部下側に逆Ｕ字状の狭い深底の支持部を有し、該吸盤部と該支持部との間に中央が太い径で上下端が細い径である接続部を設け、該接続部の太い径は該支持部の外径より小さく、片方の略半球体の容器の切り口に設けた切欠の幅より大きい径で、両端の細い径により其々吸盤部、支持部との間に環溝を構成し、該環溝の幅は該切欠の肉厚より多少狭く、該環溝の径は該切欠の幅より多少大きく構成し弾性を有する吸盤部品を略球体内部に収納したものである。
また、特許文献２の連結容器は、収納物を収納する収納容器と連結部材とからなり、収納容器は、上壁と周壁と底壁とからなり、上壁上面に嵌合穴又は嵌合突起が形成され、底壁下面に嵌合突起又は嵌合穴が形成され、連結部材は、基板と、基板の上面両側に突設された一対の連結ピンとからなり、収納容器の底壁又は上壁であって、嵌合突起又は嵌合穴の両側には、連結部材の一対の連結ピンが着脱自在に差し込まれる連結凹部が形成され、収納容器の底壁又は上壁の下面又は上面周縁近傍には、連結部材の一方の連結ピンが着脱自在に差し込まれる連結穴が少なくとも一つ形成されたものである。
【０００３】
【特許文献１】
実開平５−３７２９２号公報
【特許文献２】
特許第３２２９５９１号公報
【０００４】
【発明が解決しようとする課題】
ところが、カプセル玩具及び連結容器にあっては、小型玩具や収納物を、容器や収納容器に収納して整然とした陳列状態に飾れるようには構成されておらず、しかも、比較的小さな小型玩具や収納物が視認し易い状態で容器や収納容器内に収納できるように工夫されたものではなかった。
【０００５】
【課題を解決するための手段】
しかして、本発明は、前述の如き問題点等を解消すべく創出されたもので、請求項１記載の連結可能な陳列兼用収納カプセルにあっては、適宜合成樹脂材によって略中空球形状に形成されると共に、その内部にミニチュアフィギアＤ等の適宜商品を収納した状態で、適宜販売機内に収容せしめて販売される連結可能な陳列兼用収納カプセルであって、上部が開口されている略半球殻状の下部半割カプセル体Ａと、この下部半割カプセル体Ａの上部開口部分に着脱自在に装着でき、且つ下部が開口されている略半球殻状の透明な上部半割カプセル体Ｂとからなるカプセル本体を形成し、このカプセル本体の外周部、底部、及び頂部に、左右連結手段、前後連結手段、及び上下連結手段となる嵌合凹部２、４、６及び嵌合凸部１、３、５を設け、複数のカプセル本体が左右方向、前後方向、上下方向に自在に連結可能となるよう形成し、カプセル本体の下部半割カプセル体Ａ内に装着可能な支持プレートＣを設け、この支持プレートＣの上にミニチュアフィギアＤをセットできるように構成する手段を採用した。
【０００６】
また、請求項２記載の連結可能な陳列兼用収納カプセルあっては、カプセル本体の下部半割カプセル体Ａ内表面に、上段に配される複数の係止支持突起７と、下段に配される複数の係止支持突起８とを設け、支持プレートＣに、係止支持突起７、８が係脱自在に係止される複数の係止凹部１０を周設し、下部半割カプセル体Ａ内に支持プレートＣを上下方向で選択的に装着できるよう構成する手段を採用した。
【０００７】
【発明の実施の形態】
以下、本発明を図示例に基づいて説明すると、次の通りである。
本発明は、適宜合成樹脂材によって略中空球形状に形成されると共に、その内部にミニチュアフィギアＤ等の適宜商品を収納した状態で、適宜販売機内に収容せしめて販売される連結可能な陳列兼用収納カプセルで、この収納カプセルは、上部が開口されている略半球殻状の下部半割カプセル体Ａと、この下部半割カプセル体Ａの上部開口部分に着脱自在に装着でき、且つ下部が開口されている略半球殻状の透明な上部半割カプセル体Ｂとからなるカプセル本体を形成し、更に、このカプセル本体の下部半割カプセル体Ａ内に装着可能な支持プレートＣを設け、この支持プレートＣの上にミニチュアフィギアＤをセットできるように構成したものである。
【０００８】
しかも、カプセル本体の外周部（前後左右部分）、底部、及び頂部に、左右連結手段、前後連結手段、及び上下連結手段となる嵌合凹部２、４、６及び嵌合凸部１、３、５を設け、複数のカプセル本体が左右方向、前後方向、上下方向に自在に連結可能となるよう形成されている。すなわち、カプセル本体を左右方向、前後方向、上下方向夫々に自由に連結することができ、多数のミニチュアフィギアＤ等を整然とした陳列状態で飾ることができるように構成されている。
【０００９】
加えて、カプセル本体の下部半割カプセル体Ａの内表面には、上段に配される複数の係止支持突起７と、下段に配される複数の係止支持突起８とが設けられており、一方、支持プレートＣには、係止支持突起７、８が係脱自在に係止される複数の係止凹部１０が周設されており、下部半割カプセル体Ａ内に支持プレートＣを上下方向で選択的に装着できるよう構成されている。すなわち、陳列させるミニチュアフィギアＤ等の寸法や形態等に対応させて、支持プレートＣの上下方向の装着位置を選択できるように形成して、ミニチュアフィギアＤ等を透明な上部半割カプセル体Ｂから視認し易い位置に配置できるように形成してある。
【００１０】
前記下部半割カプセル体Ａは、例えば、ポリプロピレン等の弾力性が大きく不透明な（或いは、透明でも良いし、半透明でも良いし、部分透明でも良い）合成樹脂材によって一体的に構成され、しかも、その底部が僅かに平らな略半球殻状に形成されて、その座りが良くなるように配慮してある。
【００１１】
そして、下部半割カプセル体Ａの上部がわの左右側部には、例えば、略短円柱状の嵌合凸部１と、この嵌合凸部１が自在に嵌合可能となる略短円筒状の嵌合凹部２とが夫々突設されている（左右連結手段）。
【００１２】
また、下部半割カプセル体Ａの上部がわの前部と後部には、例えば、略短円柱状の嵌合凸部３と、この嵌合凸部３が自在に嵌合可能となる略短円筒状の嵌合凹部４とが夫々突設されている（前後連結手段）。
【００１３】
更に、下部半割カプセル体Ａの底部には、例えば、略短中空円柱状の嵌合凸部５が設けられると共に、この嵌合凸部５の周囲が僅かに窪むように形成されている。すなわち、嵌合凸部５は、下部半割カプセル体Ａの底部内に収まるように形成されて、下部半割カプセル体Ａの座りが安定するように配慮してある。また、嵌合凸部５は、略短中空円柱状に形成して、その弾性変形がよりスムーズに行われて、後述する上部半割カプセル体Ｂの頂部に設けられる嵌合凹部６に確実に嵌合するように形成してある（上下連結手段）。
【００１４】
それから、下部半割カプセル体Ａの内表面には、例えば、略小突起状の複数（例えば、４個）の係止支持突起７と、同じく複数（例えば、４個）の係止支持突起８とを上段と下段（或いは、三段以上に設けても良い）に設けてある。しかも、上段の係止支持突起７と、下段の係止支持突起８夫々は、円周方向に於いて等間隔に配されており、更に、上段の係止支持突起７と、下段の係止支持突起８は、平面から見て重ならないように円周方向に於いてその位置を約４５度ズレるように配設してある。
【００１５】
前記上部半割カプセル体Ｂは、例えば、ポリスチレン等の弾力性が小さく透明な（或いは、部分透明や、半透明でも良い）合成樹脂材によって略半球殻状に一体的に構成されている。
【００１６】
そして、上部半割カプセル体Ｂの頂部には、前記下部半割カプセル体Ａの底部に設けた窪み部分に合致するような突出部分が形成され、この突出部分の中央には、前記嵌合凸部５が嵌合される嵌合凹部６が形成されている。
【００１７】
前記支持プレートＣは、例えば、適宜合成樹脂材によって略円板状に形成されており、その外側周縁下部に前記係止支持突起７、８に係止可能となる複数の係止凹部１０が等間隔に周設されている。すなわち、支持プレートＣを下部半割カプセル体Ａに対して任意に旋回させた状態で装着することができるように形成して、ミニチュアフィギアＤ等の配置向きを自由に変更せしめられるよう構成してある。
尚、支持プレートＣは、上段の係止支持突起７に係止できるように構成したものと、下段の係止支持突起８に係止できるように構成したものとを予め二種類用意しておいても良いし、上下段の係止支持突起７、８夫々に係止できるように構成したものであっても良い。
【００１８】
また、支持プレートＣの上面には、例えば、略小円柱状の差込突起１１が突設されており、この差込突起１１は、ミニチュアフィギアＤの底部に穿設した差込穴１５に差込まれて、ミニチュアフィギアＤを安定的に支持できるように形成されている。尚、差込突起１１は、支持プレートＣに一体的に設けても良いし、別体としても良い。
【００１９】
前記ミニチュアフィギアＤは、適宜キャラクター製品や、各種生物を模した物や、各種乗り物を模した物や、その他適宜ものをミニチュア化して用いることができ、しかも、予め完成しているものであっても良いし、簡単に組立できるようなパーツで構成されたものであっても良い。
尚、ミニチュアフィギアＤは、図示例のような差込穴１５に差込突起１１を差込むようにして、その安定状態を得られるようにしても良いし、差込穴１５を設けずに、支持プレートＣの上に載置するだけであっても良いし、両面着テープ等の手段を利用するようにしても良いし、その他適宜自由に設定することができるものである。
【００２０】
尚、収納カプセルの具体的構成、形状、寸法、材質、カプセル本体の具体的構成、形状、寸法、材質、下部半割カプセル体Ａの具体的構成、形状、寸法、材質、上部半割カプセル体Ｂの具体的構成、形状、寸法、材質、嵌合凸部１、３、５の具体的構成、形状、寸法、配設位置、嵌合凹部２、４、６の具体的構成、形状、寸法、配設位置、係止支持突起７、８の具体的構成、形状、寸法、配設位置、数、支持プレートＣの具体的構成、形状、寸法、材質、係止凹部１０の具体的構成、形状、寸法、数、配設位置、差込突起１１の具体的構成、形状、寸法、材質ミニチュアフィギアＤの具体的構成、形状、寸法、材質、差込穴１５の具体的構成、形状、寸法、配設位置等は図示例のもの等に限定されることなく適宜自由に設定、変更できるものである。
【００２１】
【発明の効果】
従って、本発明の請求項１記載の連結可能な陳列兼用収納カプセルは、適宜合成樹脂材によって略中空球形状に形成されると共に、その内部にミニチュアフィギアＤ等の適宜商品を収納した状態で、適宜販売機内に収容せしめて販売される連結可能な陳列兼用収納カプセルであって、上部が開口されている略半球殻状の下部半割カプセル体Ａと、この下部半割カプセル体Ａの上部開口部分に着脱自在に装着でき、且つ下部が開口されている略半球殻状の透明な上部半割カプセル体Ｂとからなるカプセル本体を形成し、このカプセル本体の外周部、底部、及び頂部に、左右連結手段、前後連結手段、及び上下連結手段となる嵌合凹部２、４、６及び嵌合凸部１、３、５を設け、複数のカプセル本体が左右方向、前後方向、上下方向に自在に連結可能となるよう形成し、カプセル本体の下部半割カプセル体Ａ内に装着可能な支持プレートＣを設け、この支持プレートＣの上にミニチュアフィギアＤをセットできるように構成したので、カプセル本体は、ミニチュアフィギアＤ等の陳列用ケースとして有効利用することができ、特に、カプセル本体を左右方向、前後方向、上下方向夫々に自由に連結することができ、多数のミニチュアフィギアＤ等を整然とした陳列状態で飾ることができるようになる。
更に、支持プレートＣの上にミニチュアフィギアＤ等をセットできるように構成してあるので、比較的小さなミニチュアフィギアＤ等でも透明な上部半割カプセル体Ｂから視認し易い状態にセットできるようになる。
しかも、比較的構成が簡素で、製造が容易で、量産に適し、コストの低減が図れ、経済的な陳列兼用収納カプセルとなる。
【００２２】
また、本発明の請求項２記載の連結可能な陳列兼用収納カプセルは、カプセル本体の下部半割カプセル体Ａ内表面に、上段に配される複数の係止支持突起７と、下段に配される複数の係止支持突起８とを設け、支持プレートＣに、係止支持突起７、８が係脱自在に係止される複数の係止凹部１０を周設し、下部半割カプセル体Ａ内に支持プレートＣを上下方向で選択的に装着できるよう構成したので、陳列させるミニチュアフィギアＤ等の寸法や形態等に対応させて、支持プレートＣの装着位置を選択でき、ミニチュアフィギアＤ等を透明な上部半割カプセル体Ｂから視認し易い位置に配置できるようになる。
しかも、支持プレートＣに、複数の係止凹部１０を周設してあるので、支持プレートＣを下部半割カプセル体Ａに対して適宜旋回させた状態で装着することができるようになり、ミニチュアフィギアＤ等の配置向きを自由に変更せしめられるようになる。
【図面の簡単な説明】
【図１】本発明を例示する分解正面図である。
【図２】本発明を例示する一部切欠平面図である。
【図３】本発明を例示する連結状態の一部切欠正面図である。
【符号の説明】
Ａ      下部半割カプセル体            Ｂ      上部半割カプセル体
Ｃ      支持プレート                  Ｄ      ミニチュアフィギア
１      嵌合凸部                      ２      嵌合凹部
３      嵌合凸部                      ４      嵌合凹部
５      嵌合凸部                      ６      嵌合凹部
７      係止支持突起                  ８      係止支持突起
１０    係止凹部                      １１    差込突起
１５    差込穴
【図１】
2005041489.tif 000003
【図２】
2005041489.tif 000004
【図３】
2005041489.tif 000005